(57)【特許請求の範囲】
【請求項１】
軸の外周に嵌装される軸受と、前記軸との間のダストシール部を前記軸の外周面に接触して滑るダストシール部材によりシールして前記軸受を収容した軸受箱とからなる軸受装置において、前記軸受の内部に固形潤滑剤を充填しているか、または、前記軸受両側面に内蔵したグリースシール部材を持ちその密封された軸受内部に潤滑剤を充填しているかして、前記軸受と前記軸受箱のダストシール部との間に空隙室を設け、且つ前記軸受箱の外部から前記ダストシール部の内部空間に潤滑剤を充填するためのグリースニップルを設けた軸受装置であって、前記ダストシール部の内部空間を規定するグリースポケットは、前記軸の中心を通る水平線よりも上方に配置され、断面が略扇形であることを特徴とする軸受装置。
【請求項２】
軸の外周に嵌装される軸受と、前記軸との間のダストシール部を前記軸の外周面に接触して滑るダストシール部材によりシールして前記軸受を収容した軸受箱とからなる軸受装置において、
前記軸受の内部には第１の潤滑剤が充填されており、
前記軸受箱のダストシール部には、前記軸の中心を通る水平線よりも上方に配置され第２の潤滑剤を充填する内部空間を規定する断面略扇形のグリースポケットと、当該グリースポケットの内部空間に前記第２の潤滑剤を充填するためのグリースニップルとが設けられており、
略前記軸受と前記ダストシール部との間には、前記第２の潤滑剤に混入した異物が前記軸受の内部へ侵入するのを防止すべく当該異物を捕捉するための空隙室が設けられていることを特徴とする軸受装置。
【請求項３】
前記ダストシール部の内部空間を複数に分割する仕切板を備えることを特徴とする請求項１又は２記載の軸受装置。
【発明の詳細な説明】
【０００１】
【発明の属する技術分野】
この発明は、軸の外周に嵌装される軸受と、前記軸との間のダストシール部を前記軸の外周面に接触して滑るダストシール部材によりシールして前記軸受を収容した軸受箱とからなる軸受装置に関する。
【０００２】
【従来の技術】
従来、例えば、鉄鋼生産システムにおける搬送ロールを支持する軸受装置として、図７に示すものが知られている。図７は従来の軸受装置の要部構成を示す縦断面図であり、この軸受装置は、軸１の外周に嵌装される軸受（転がり軸受）２と、軸１との間の両側ダストシール部３，３を軸１の外周面に接触して滑る合成ゴム等からなるダストシール部材４，４によりシールして軸受２を収容した軸受箱５とからなる。そして、軸受箱５の軸方向略中央上部外側面に設けたグリースニップル６からグリース７を充填することにより、軸受箱５の外部から軸受２の内部と軸受箱５の内部とに一括してグリース７を定期的に補給している。
【０００３】
【発明が解決しようとする課題】
ところで、鉄鋼生産システムにおける搬送設備、特に鉱石の焼結ライン等では、硬い物質を含んだ粉塵が大量に発生するが、従来の軸受装置にあっては、前記粉塵の一部が軸受２の内部に侵入して、この軸受２の寿命を低下させている。
【０００４】
このような粉塵の侵入経路を辿ると、軸受箱５のダストシール部３の部位にあって外気に触れたグリース７に前記粉塵が混入し、軸１とダストシール部３の滑り並びに軸１と軸受２の回転によってグリース７が撹拌されることで、ダストシール部３の部位にあって外気に触れたグリース７に混入した前記粉塵が軸受２に到達するものである。
【０００５】
本発明は上述した従来の技術の有するこのような問題点に鑑みてなされたものであり、その目的とするところは、外部からの軸受内部への粉塵等の異物の侵入を確実に遮断して、軸受寿命の延長を図ることができると共に、保守管理を容易にした軸受装置を提供しようとするものである。
【０００６】
【課題を解決するための手段】
上記目的を達成するために請求項１記載の軸受装置は、軸の外周に嵌装される軸受と、前記軸との間のダストシール部を前記軸の外周面に接触して滑るダストシール部材によりシールして前記軸受を収容した軸受箱とからなる軸受装置において、前記軸受の内部に固形潤滑剤を充填しているか、または、前記軸受両側面に内蔵したグリースシール部材を持ちその密封された軸受内部に潤滑剤を充填しているかして、前記軸受と前記軸受箱のダストシール部との間に空隙室を設け、且つ前記軸受箱の外部から前記ダストシール部の内部空間に潤滑剤を充填するためのグリースニップルを設けた軸受装置であって、前記ダストシール部の内部空間を規定するグリースポケットは、前記軸の中心を通る水平線よりも上方に配置され、断面が略扇形であることを特徴とする。
【０００７】
そして、この発明の軸受装置によると、外気に含まれる粉塵等の異物或いは異物の混入した潤滑剤はダストシール部において捕捉され、万一、異物が軸受と軸受箱のダストシール部との間の空隙室内に侵入しても、ダストシール部から軸受まで侵入した異物を搬送せしめる従来例でいう軸受箱内に充填された潤滑剤がないので、侵入した異物は空隙室の底に溜まるだけで、軸受まで到達しない。そのため、軸受の内部に異物が侵入するのを確実に防止することができる。また、グリースニップルを用いることにより、軸受箱の外部からダストシール部の内部空間に潤滑剤を充填することができるので、この潤滑剤によりダストシール部材と軸との接触面が潤滑され、ダストシール部材の寿命を延長させることができる。
【０００８】
また、定期的に補給充填する必要のあるグリースを廃止したことにより保守管理が容易となる。
【０００９】
【発明の実施の形態】
以下、本発明の各実施の形態を図１〜図６に基づき説明する。
【００１０】
（第１の実施の形態）
まず、本発明の第１の実施の形態を図１に基づき説明する。図１は本発明の第１の実施の形態に係る軸受装置の要部構成を示す縦断面図である。同図において、上述した従来例の図７と同一機能部分には同一符号が付してある。
【００１１】
図１において図７と異なる点は、図７の構成からグリースニップル６及びグリース７を除去すると共に、軸受２の内部に固形潤滑剤（本実施の形態では潤滑剤含有ポリマ）８を充填し且つ軸受２と軸受箱５のダストシール部３との間に空隙室９を設け、更に、ダストシール部材４の軸１との接触面にグリースを塗布して潤滑することとしたことである。
【００１２】
上記構成において、軸受２は、その内部に充填した固形潤滑剤８によって潤滑される。また、軸受箱５のダストシール部３に設けられたダストシール部材４の軸１との接触面は、初期に塗布された少量のグリースで潤滑、摺接される。固形潤滑剤は潤滑剤含有ポリマの他、例えばカーボングラファイト等でも良い。また、軸受に充填されるのは固形潤滑剤ではなくて通常のグリース等の潤滑剤でも良い。その場合は、軸受側面内部にグリースシール部材を内蔵し、軸受内を密封して、潤滑剤の漏出を防止する構成とする。
【００１３】
また、万一、ダストシール部材４の軸１との接触面に塗布されたグリースに粉塵等の異物が混入しても、その異物は軸受２と軸受箱５のダストシール部３との間の空隙室９内に捕捉されることにより、軸受２内には侵入しない。
【００１４】
以上詳述したように本実施の形態に係る軸受装置によれば、外気に含まれる粉塵等の異物或いは異物の混入した潤滑剤はダストシール部３において捕捉され、万一、異物が軸受２と軸受箱５のダストシール部３との間の空隙室９内に侵入しても、異物は空隙室９の底に溜まるだけで軸受２の内部に異物が侵入するのを確実に防止することができ、軸受２の寿命を延長させることができるという効果を奏する。また、定期的に補給充填する必要のあるグリースを廃止したことにより保守管理が容易となるという効果を奏する。
【００１５】
（第２の実施の形態）
次に、本発明の第２の実施の形態を図２に基づき説明する。図２は本発明の第２の実施の形態に係る軸受装置の要部構成を示す縦断面図であり、同図において、上述した第１の実施の形態における図１と同一機能部分には同一符号が付してある。
【００１６】
図２において図１と異なる点は、図１の構成に、軸受箱５の外部からダストシール部材４の内部空間のグリースポケット１０にグリース１１を充填するためのグリースニップル１２を設けたことである。
【００１７】
図２の構成において、グリースニップル１２からグリースポケット１０に充填したグリース１１によりダストシール部材４の軸１との接触面が潤滑される。
【００１８】
なお、本実施の形態におけるその他の構成及び作用は上述した第１の実施の形態と同一であるから、その説明は省略する。
【００１９】
本実施の形態に係る軸受装置によれば、上述した第１の実施の形態と同様の効果を奏すると共に、特に、グリースニップル１２からグリースポケット１０に充填したグリース１１によりダストシール部材４の軸１との接触面が潤滑されるので、ダストシール部材４の寿命を延長させることができるという効果を奏する。
【００２０】
（第３の実施の形態）
次に、本発明の第３の実施の形態を図３及び図４に基づき説明する。図３は本発明の第３の実施の形態に係る軸受装置の要部構成を示す縦断面図、図４は図３のＡ−Ａ線に沿う断面図である。図３において、上述した第２の実施の形態における図２と同一機能部分には同一符号が付してある。
【００２１】
図３において図１と異なる点は、グリースポケット１０を図４に示すように扇形にして、軸１の中心を通る水平線Ｌよりも上方に配置したことである。これにより、グリース１１がグリースポケット１０の下方に溜まらずに、より確実にダストシール部材４の軸１との接触面に補給される。
【００２２】
なお、本実施の形態におけるその他の構成及び作用は上述した第２の実施の形態と同一であるから、その説明は省略する。
【００２３】
本実施の形態に係る軸受装置によれば、上述した第２の実施の形態と同様の効果を奏すると共に、特に、グリースポケット１０を扇形にして、軸１の中心を通る水平線Ｌよりも上方に配置したことにより、グリース１１がグリースポケット１０の下方に溜まらずに、より確実にダストシール部材４の軸１との接触面に補給されるので、ダストシール部材４の軸１との接触面の潤滑がより確実に行われ、ダストシール部材４の寿命を更に延長させることができるという効果を奏する。
【００２４】
（第４の実施の形態）
次に、本発明の第４の実施の形態を図５に基づき説明する。図５は本発明の第４の実施の形態に係る軸受装置の図４と同状図である。
【００２５】
本実施の形態は、上述した第２の実施の形態におけるダストシール部材４の内部空間を仕切板１３により複数に分割することにより、扇形のグリースポケット１０を全周に亘って複数設けたものである。
【００２６】
上述した第３の実施の形態においては、扇形のグリースポケット１０が軸１の中心を通る水平線Ｌよりも上方に位置するように組み立てる必要があったが、本実施の形態に係る軸受装置によれば、どのような組み立て方をしても、軸１の中心を通る水平線Ｌよりも上方に位置するグリースポケット１０のセクターが現れるので、装置の組み立て方に制約を受けることがない。
【００２７】
なお、本実施の形態におけるその他の構成及び作用は上述した第３の実施の形態と同一であるから、その説明は省略する。
【００２８】
本実施の形態に係る軸受装置によれば、上述した第３の実施の形態と同様の効果を奏すると共に、特に、ダストシール部材４の内部空間を仕切板１３により複数に分割することにより、扇形のグリースポケット１０を全周に亘って複数設けたことにより、組み立て方に制約を受けることがなく、装置組み立て時のコストを低減できるという効果を奏する。
【００２９】
（第５の実施の形態）
次に、本発明の第５の実施の形態を図６に基づき説明する。図６は本発明の第５の実施の形態に係る軸受装置の要部構成を示す縦断面図であり、同図において、上述した第１の実施の形態における図１と同一機能部分には同一符号が付してある。
【００３０】
図６において図１と異なる点は、両側のダストシール部３を各一対のダストシール部材４ａ，４ｂによりそれぞれシールしたことである。ここで、一対のダストシール部材４ａ，４ｂ相互間には、グリースを充填しても良いし、空洞を形成しても良い。
【００３１】
本実施の形態に係る軸受装置においては、ダストシール部３を一対のダストシール部材４ａ，４ｂによりシールしたことによりシール機能が向上する。
【００３２】
なお、本実施の形態におけるその他の構成及び作用は上述した第１の実施の形態と同一であるから、その説明は省略する。
【００３３】
本実施の形態に係る軸受装置よれば、上述した第１の実施の形態と同様の効果を奏することができると共に、特に、ダストシール部３を一対のダストシール部材４ａ，４ｂによりシールしたことによりシール機能が向上するので、軸受２の寿命をより一層延長させることができるという効果を奏する。
【００３４】
【発明の効果】
以上詳述したように本発明の軸受装置によれば、外気に含まれる粉塵等の異物或いは異物の混入した潤滑剤はダストシール部において捕捉され、万一、異物が軸受と軸受箱のダストシール部との間の空隙室内に侵入しても、ダストシール部から軸受まで侵入した異物を搬送せしめる従来例でいう軸受箱内に充填された潤滑剤がないので、侵入した異物は空隙室の底に溜まるだけで、軸受まで到達しないので、軸受の内部に異物が侵入するのを確実に防止することができ、また、定期的に補給充填する必要のあるグリースを廃止したことにより保守管理が容易となるという効果を奏する。さらに、グリースニップルを用いることにより、軸受箱の外部からダストシール部の内部空間に潤滑剤を充填することができるので、この潤滑剤によりダストシール部材と軸との接触面が潤滑され、ダストシール部材の寿命を延長させることができる。
【図面の簡単な説明】
【図１】本発明の第１の実施の形態に係る軸受装置の要部構成を示す縦断面図である。
【図２】本発明の第２の実施の形態に係る軸受装置の要部構成を示す縦断面図である。
【図３】本発明の第３の実施の形態に係る軸受装置の要部構成を示す縦断面図である。
【図４】図３のＡ−Ａ線に沿う縦断面図である。
【図５】本発明の第４の実施の形態に係る軸受装置の図４と同状図である。
【図６】本発明の第５の実施の形態に係る軸受装置の要部構成を示す断面図である。
【図７】従来の軸受装置の要部構成を示す縦断面図である。
【符号の説明】
１    軸
２    軸受
３    ダストシール部
４    ダストシール部材
４ａ  ダストシール部材
４ｂ  ダストシール部材
５    軸受箱
８    固形潤滑剤
９    空隙室
１０  グリースポケット
１１  グリース
１２  グリースニップル
【図１】
0004026200.tif 000002
【図２】
0004026200.tif 000003
【図３】
0004026200.tif 000004
【図４】
0004026200.tif 000005
【図５】
0004026200.tif 000006
【図６】
0004026200.tif 000007
【図７】
0004026200.tif 000008